(57)【要約】【課題】、素早く取り出して撮影ができ且つ素早く収納ができるとともにカメラも収納具も落とす危険のない携帯カメラ等の収納具を提供するにある。【解決手段】首掛け手段等２で首から吊るした携帯デジタルカメラや携帯電話などの携帯カメラ等３の上から被せ携帯カメラ等３被う底部が開口してなるあるいは簡単に開口できるようにしてなる布製からなる周農具本体４と、この周農具本体４の上部に設けられた周農具本体４が首掛け手段等２上を移動できるように上部開口部を閉じ紐５により絞り閉じて形成した首掛け手段等２を通す首掛け手段等通し部６と、閉じ紐５に取り付けられた首掛け手段等２を挟持するクリップかなる抜け防止手段７と、周農具本体４の底部側に周農具本体４が収納した携帯カメラ等３から外れないように面ファスナーにより係止されるバンド状部材からなる抜け防止手段８とからなっている。【選択図】  図１
2004165762.tif 000002
【特許請求の範囲】
【請求項１】
携帯デジタルカメラや携帯電話などの携帯カメラ等、この携帯カメラ等から延びた該携帯カメラ等を首から吊るし状態にしておくための紐やバンドなどの首掛け手段等、前記携帯カメラ等を収納する周農具本体と、この周農具本体の底部、側部、背部、前部あるいは側部から底部にかけてなど任意の部位に設けられた前記携帯カメラ等を簡単に該周農具本体に出し入れするための出し入れ口と、前記周農具本体に設けられた前記首掛け手段等を移動自在に通す首掛け手段等通し部とからなることを特徴とする携帯カメラ等の収納具。
【請求項２】
首から外した首掛け手段等から周農具本体が抜けないようにするための抜け防止手段を収納具側に設けてなることを特徴とする請求項１記載の携帯カメラ等の収納具。
【発明の詳細な説明】
【０００１】
【発明の属する技術分野】
本発明は携帯デジタルカメラや携帯電話などを保護する携帯カメラ等の収納具に関する。
【０００２】
【従来技術】
従来携帯デジタルカメラや携帯電話などの保護ケースは、上部の出し入れ口から挿入し蓋をしたり出し入れ口を絞り閉じたりするものであった。
【０００３】
【発明が解決しようとする課題】
上述した従来技術は、被写体を撮影しようとする場合は、いちいちケースの開口を空けカメラを取り出して行い、撮影後はケースに収納するという時間のかかる煩雑な操作をしなければならず、動く被写体などは撮影チャンスを逃してしまう、出したり入れたりの操作が煩雑で面倒くさいなどの欠点を持っていた。
また、首から下げるのがケースである場合は出したカメラを落とす危険があり、カメラを首にかけている場合にはケースを落とす危険があり、それによる撮影に集中できないという欠点があった。
【０００４】
本発明は以上のような従来技術の持つ欠点に鑑みてなされたものであって、その目的は、素早く取り出して撮影ができ且つ素早く収納ができるとともにカメラも収納具も落とす危険のない携帯カメラ等の収納具を提供するにある。
【０００５】
【課題を解決するための手段】
上記目的を達成するために、携帯デジタルカメラや携帯電話などの携帯カメラ等、この携帯カメラ等から延びた該携帯カメラ等を首から吊るし状態にしておくための紐やバンドなどの首掛け手段等、前記携帯カメラ等を収納する周農具本体と、この周農具本体の底部、側部、背部、前部あるいは側部から底部にかけてなど任意の部位に設けられた前記携帯カメラ等を簡単に該周農具本体に出し入れするための出し入れ口と、前記周農具本体に設けられた前記首掛け手段等を移動自在に通す首掛け手段等通し部とで携帯カメラ等の収納具を構成している。
「首掛け手段等」とは、首掛け手段のみならず手首に巻く、手に下げる、バックに下げる等のものも含まれる意味である。
【発明の実施の形態】
本発明の実施の形態を図面を参照しながら説明する。
【０００６】
図１ないし図３に示す本発明の第１の実施の形態において１はカメラ等の収納具（以下「収納具」という。）であって、この収納具１は首掛け手段等２で首から吊るした携帯デジタルカメラや携帯電話などの携帯カメラ等３の上から被せ携帯カメラ等３被う底部が開口してなるあるいは簡単に開口できるようにしてなる布製からなる周農具本体４と、この周農具本体４の上部に設けられた周農具本体４が首掛け手段等２上を移動できるように上部開口部を閉じ紐５により絞り閉じて形成した首掛け手段等２を通す首掛け手段等通し部６と、閉じ紐５に取り付けられた首掛け手段等２を挟持するクリップかなる抜け防止手段７と、周農具本体４の底部開口からなる出し入れ口９と、この出し入れ口９から周農具本体４に収納した携帯カメラ等３が該４から抜け出さないように面ファスナーにより係止されるバンド状部材からなる抜け防止手段８とからなっている。
以下の実施の形態の説明において同じ構成には同じ符号を付して説明を省略する。
【０００７】
図４に示す本発明の第２の実施の形態において１５は収納具であって、この収納具１５は首掛け手段等２で首から吊るした携帯デジタルカメラや携帯電話などの携帯カメラ等３の上から被せ携帯カメラ等３被う底部に開口してなる出し入れ口９を有する柔軟性合成樹脂部材あるいは柔軟性皮製部材からなる平袋形態の周農具本体１６と、この周農具本体１６の上部に設けられた周農具本体１６が首掛け手段等２上を移動できるように首掛け手段等２を通す首掛け手段等通し部１７と、周農具本体１６のから延びた紐１８と、この紐１８の先端に設けられた抜け防止手段７と、周農具本体１６の底部側に周農具本体１６が収納した携帯カメラ等３から外れないように面ファスナーにより係止される抜け防止手段１９とからなっている。
抜け防止手段は底部開口を全部被う下蓋的なものもよい。
【０００８】
図５に示す本発明の第３の実施の形態において２２は収納具であって、収納具２２は首掛け手段等２で首から吊るした携帯カメラ等３を側部から出し入れするための開口して出し入れ口２３を有する柔軟性合成樹脂部材あるいは柔軟性皮製部材からなる平袋形態の周農具本体１６と、この周農具本体１６の上部に設けられた周農具本体１６が首掛け手段等２上を移動できるように首掛け手段等２を通す首掛け手段等通し部１７と、周農具本体１６のから延びた紐１８と、この紐１８の先端に設けられた抜け防止手段７と、周農具本体１６の底部側に周農具本体１６が収納した携帯カメラ等３から外れないように面ファスナーにより係止される抜け防止手段１９とからなっている。
【０００９】
図６に示す本発明の第４の実施の形態において２５は収納具であって、該２５は第３の実施の形態の収納具２２の構成においてもう一方の側部にも出し入れ口２３と抜け防止手段１９を設けた構成としたものである。
【００１０】
図７および図８に示す本発明の第５の実施の形態において３０は収納具であって、円形中空体の周農具本体３１と、この周農具本体３１の前部に開口された携帯カメラ等３を出し入れするための出し入れ部３２と、該３２を外側から塞ぐための下部を面ファスナーで係止して閉じ状態となる蓋３３と、周農具本体３１の背部に開口された携帯カメラ等３を出し入れするための出し入れ部３４と、該３４を外側から塞ぐための下部を面ファスナーで係止して閉じ状態となる蓋３５と、周農具本体３１の上部に設けられた収納具３０から首掛け手段等２が抜けないように該３１が移動できるように首掛け手段等２を通す首掛け手段等通し部３６とからなっている。３７は首掛け手段等２上に設けられた首掛け手段等２と収納具３０が分離しないようにするための抜け防止手段であり、クリップ式、摩擦通し体など多様なものがある。
【００１１】
図９に示す本発明の第６の実施の形態において４０は収納具であって、この収納具４０は四角形の表カバー４１と該４１に重ねられた同一形状の裏カバー４２が一方の側部を結合されて、且つ、面ファスナーで合わせ接合閉じ開きできるようにしてなるものである。首掛け手段等通し部１７は角側に設けられている。
表カバー、裏カバーを開くと、カメラが表か裏か一目でわかるので、カメラの向きを変えることが素早く行えシャッターチャンスを逃すことを減らすことができる。
【００１２】
図１０に示す本発明の第７の実施の形態において４５は収納具であって、この収納具４５は四角形の表カバー４６と該４６に重ねられた同一形状の裏カバー４６が底部側を結合されて、且つ、面ファスナーで合わせ接合閉じ開きできるようにしてなるものである。首掛け手段等通し部１７は中央上部で面ファスナーの下側に設けられている。
表カバー、裏カバーを開くと、カメラが表か裏か一目でわかるので、カメラの向きを変えることが素早く行えシャッターチャンスを逃すことを減らすことができる。
表カバー４６と裏カバー４７の一方の側部を結合して側方から開閉できるようにするのもよい。
【００１３】
【発明の効果】
本発明は以上説明したようになっているので次に述べるような効果を奏する。
【００１４】
請求項１記載の発明は、首から下げている状態では常に収納具はカメラ等に被さり該カメラ等を保護するとともに、撮影するときは底部が開口されているので収納具を素早く首掛け手段等に側に移動させてカメラから外し撮影を行うことができ、且つ、撮影終了後は収納具をカメラ側に移動させるだけで素早く被せることができるという効果を奏する。
また、首掛け手段等で首にカメラを下げ且つその首掛け手段等に収納具を通しているので、カメラも収納具も落ちる危険がまったくないとともに、それにより安心して撮影に集中できるという効果を奏する。
【００１５】
請求項２記載の発明は前記請求項１記載の発明の効果に加えて、首から首掛け手段等を外しても該首掛け手段等から収納具が抜けることがないという効果を奏する。
【図面の簡単な説明】
【図１】本発明の第１の実施の形態を示す斜視図。
【図２】本発明の第１の実施の形態の首に下げ収納した使用状態図。
【図３】本発明の第１の実施の形態の取り出した使用状態態図。
【図４】本発明の第２の実施の形態を示す斜視図。
【図５】本発明の第３の実施の形態を示す斜視図。
【図６】本発明の第４の実施の形態を示す斜視図。
【図７】本発明の第５の実施の形態を示す正面図。
【図８】本発明の第５実施の形態を示す断面図。
【図９】本発明の第６の実施の形態を示す斜視図。
【図１０】本発明の第７の実施の形態を示す斜視図。
【符号の説明】
１：収納具
２：首掛け手段等２
３：携帯カメラ等
４：周農具本体
５：閉じ紐
６：首掛け手段等通し部
７：抜け防止手段
８：抜け防止手段
９：出し入れ口
１５：収納具
１６：周農具本体
１７：首掛け手段等通し部
１８：紐
１９：抜け防止手段
２２：収納具
２３：出し入れ口
２５：収納具
３０：収納具
３１：収納具
３２：出し入れ部
３３：蓋
３４：出し入れ部
３５：蓋
３６：首掛け手段等通し部
３７：抜け防止手段
４０：収納具
４１：表カバー
４２：裏カバー
４５：収納具
４６：表カバー
４７：裏カバー
【図１】
2004165762.tif 000003
【図２】
2004165762.tif 000004
【図３】
2004165762.tif 000005
【図４】
2004165762.tif 000006
【図５】
2004165762.tif 000007
【図６】
2004165762.tif 000008
【図７】
2004165762.tif 000009
【図８】
2004165762.tif 000010
【図９】
2004165762.tif 000011
【図１０】
2004165762.tif 000012